(57)【要約】      （修正有）【課題】組み立て作業が、腰をかがめずに楽に行え、しかも、確実に側面板を組み立て、一時固定ができる折り畳み式組立コンテナを提供する。【解決手段】搬送可能なパレットＸに装着された折り畳み式組立コンテナであって、側面パネル１のそれぞれ左・右両端部に、アルミ製の縦フレーム２と、該フレームと並行し、コンテナ内方向にに向けて適宜な幅の溝部Ｙを形成した係合片３をフレーム２と一体に形成し、側面パネル１と接合する前後パネル４のそれぞれ左・右端部には、それぞれアルミ製の縦フレーム５を設け、フレーム５には、溝部Ｙと係合する突起片６を、コンテナ外方向に向けて突出して設け、かつ、前後パネル４の上端にはアルミ製の横フレーム７を設け、側面パネル１に設けたアルミ製の縦フレーム２と、前後パネル４の上端のアルミ製の横フレーム７とに、一時固定手段を設ける。【選択図】図２
0003162618.tif 000002
【実用新案登録請求の範囲】
【請求項１】
搬送可能なパレット（Ｘ）と、該パレット上に、収納部を形成するよう組み立てる１対の側面パネルと、１対の前後パネルからなり、これらを相互に連結される側面パネルと、前後パネルに対してコンテナの内側に向けて折り畳み可能となるように、少なくとも、隣接するパネルを下端部でそれぞれ連結する連結具と、天蓋（Ｒ）からなる折り畳み式組立コンテナにおいて、
側面パネル（１）（１）のそれぞれ左・右両端部に、アルミ製の縦フレーム（２）と、該フレームと並行し、コンテナ内方向に向けて適宜な幅の溝部（Ｙ）を形成した係合片（３）をフレーム（２）と一体に形成し、
前記側面パネル（１）（１）と接合する前後パネル（４）（４）のそれぞれ左・右端部には、それぞれアルミ製の縦フレーム（５）を設け、該フレーム（５）には、前記溝部（Ｙ）と係合する突起片（６）を、コンテナ外方向に向けて突出して設け、
かつ、前後パネル（４）の上端にはアルミ製の横フレーム（７）を設け、
前記側面パネル（１）（１）に設けたアルミ製の縦フレーム（２）と、該前後パネル（４）の上端のアルミ製の横フレーム（７）とに、一時固定手段（Ｚ）を設けたことを特徴とする折り畳み式組立コンテナ。
【請求項２】
一時固定手段（Ｚ）が、側面パネル（１）（１）のそれぞれ左・右両端部に、アルミ製の縦フレーム（２）と、該フレームと並行し、コンテナ内方に向けて適宜な幅の溝部を形成した係合片（３）に形成した穴（12）に、前後パネル（４）（４）のそれぞれ左・右上端部装着したアルミ製の横フレーム（５）内に形成され、側面パネル（１）方向に弾性材（８）により付勢され、先端部がテーパ状のロックピン（８）設け、該ロックピン（９）と並行してフレーム（５）に長穴（10）を穿設し、該長穴（10）には該ロックピン（９）に固定されたスライドフック（11）を設けたことを特徴とする請求項１記載の折り畳み式組立コンテナ。
【請求項３】
側面パネル（１）、前後パネル（４）のそれぞれ表面には、アルミ蒸着フィルム（12）貼着したことを特徴とする請求項１または２記載の折り畳み式組立コンテナ。
【請求項４】
天蓋（Ｒ）は、上板（13）と、側板（14）と、該上板より、やや下方に設けた段板（15）からなりる、断面がＦ字状の樹脂製或いはアルミ製枠材（Ｓ）を設け、天蓋（Ｒ）の各角部には、２本の該枠材（Ｓ）（Ｓ）をそれぞれ両端を４５度カットして、直角になるよう突き合わせ、断面Ｌ字状のアングル（16）で両部材をリベットにて固定すると共に、上板（13）と段板（15）との隙間部（Ｕ）には、天板（Ｖ）の端部を差し込み設けたことを特徴とする請求項１記載の折り畳み式組立コンテナ。
【考案の詳細な説明】
【技術分野】
【０００１】
この考案は、折り畳み式組立コンテナに関するものである。
【背景技術】
【０００２】
従来、この種の折り畳み式組立コンテナは、パレット上に底板を固定し、この底板に４枚の側面板がそれぞれ起立・倒伏可能に底部付近に枢着された構造となっており、必要時には、組み立て、また、不要時には側面板を折り畳み、コンテナの底板に折り重ねて収まるよう構成することにより、不要時の保管スペースを小さくすることができるコンテナが存在している。例えば、特許文献１のように。
【先行技術文献】
【特許文献】
【０００３】
【特許文献１】特許第４３４１１８９号公報
【０００４】
そして、この発明のコンテナは、従来品のように、一々、側面板を一枚・一枚組み立てたりせず、底部に折り畳まれた４枚の側面板を倒立自在に起立・倒伏させるさせることにより、組み立て作業が軽減されるものであった。
【０００５】
しかしながら、このコンテナにおいても、使用時に組み立てたり、使用後、組み立てたコンテナを元に戻す際に、腰を屈めて作業を行うため、その作業が煩雑であり、腰に負担がかかるという欠点があった。
【考案の概要】
【考案が解決しようとする課題】
【０００６】
そこで、この考案が解決しようとする問題点は、コンテナの組み立て作業が、腰をかがめずに立ったまま、楽に行え、しかも、堅牢に側面板を一時固定して組み立てることができる折り畳み式組立コンテナを開発することにある。
【課題を解決するための手段】
【０００７】
この考案による課題を解決するための手段としては、コンテナの隣接する側面板どうしを組み立てる際、側面板に装着した紐あるいはベルト等を持ち、それを手繰り寄せることにより、側面板を立設し、作業員が立ったままで作業ができ、しかも、隣接する側面板どうしを自動的に係止でき、また、元に戻す際にも、簡単な操作で一時固定手段の解除を行うことができ、組み立て作業や、組み立てたコンテナを元に戻す作業のできる折り畳み式組立コンテナを開発・提供するものである。
【考案の効果】
【０００８】
この考案によると、コンテナの側面板である，側面パネル（１）と前後パネル（４）との上端部付近にそれぞれ設けた一時固定手段（Ｚ）のバネ等の弾性材（７）によって付勢されたロックピン（８）によって  自動的にロックがかかり、また、組み立てたパネルを元に戻す際には、ロックピン（８）に固定されたスライドフック（10）で弾性材（７）に抗して引くことにより、側面パネル（１）と前後パネル（４）とのロック状態が解除される結果、先ず、両方の前後パネル（４）（４）を折り畳み、次に、両側面パネル（１）（１）を折り畳むことが出来、これらの作業は立ったまま行え、腰を傷めず省力的であるとの効果を奏する。
【０００９】
さらに、側面パネル（１）および前後パネル（４）は、それぞれ木質ボード、例えば、ＭＤＦ（中密度繊維板）を基材としたパネルであって、その周囲には、アルミ素材を使用した枠体（２）（５）を設けており、軽量であり、さらに、表面にはアルミ蒸着フィルム（11）を貼着しているため、汚れも簡単に払拭でき、常時、美麗に保つことが出来、また、天蓋（Ｒ）は、断面がＦ字状の樹脂製或いはアルミ製枠材（Ｓ）を用い、Ｌ字状のアングル（16）でコーナー部を固定し、上端部と段部との隙間部（Ｔ）に天板（Ｖ）を差し込み固定することにより、天蓋が簡単かつ、堅牢に設けることが出来る等の極めて有益なる効果を奏するものである。
【図面の簡単な説明】
【００１０】
【図１】この考案の一実施例を示し、（Ａ）は、折り畳み式組立コンテナの一部欠截斜視図であり、（Ｂ）は一部拡大欠截斜視図である。
【図２】この考案の一実施例を示し、（Ａ）は、一部拡大欠截平面図であり、（Ｂ）は、一部拡大欠截側面図であり、（Ｃ）は、断面図である。
【図３】この考案の一実施例を示し、組立完成したコンテナの正面図である。
【図４】この考案の一実施例を示し、パネルの断面図である。
【図５】この考案の一実施例を示し、（Ａ）は天蓋の一部欠截平面図であり、（Ｂ）は、組み立て状態を示す一部欠截平面図であり、（Ｃ）は、断面がＦ字状の樹脂製或いはアルミ製枠材の断面図であり、（Ｄ）は、天蓋の一部欠截側面図である。
【考案を実施するための形態】
【００１１】
この考案は、折り畳み式組立コンテナにおいて、４枚の側面板が簡単に組み立てられ、それぞれの隣接する側面板どうしが、使用時には堅牢に固定でき、不要時には固定を解除でき、これらの作業を立ったまま行えるものである。
【実施例】
【００１２】
この考案の一実施例を図に基づいて詳細に説明すると、搬送可能なパレット（Ｘ）と、該パレット上に、収納部を形成するよう組み立てる１対の側面パネルと、１対の前後パネルからなり、これらを相互に連結される側面パネルと、前後パネルに対してコンテナの内側に向けて折り畳み可能となるように、少なくとも、隣接するパネルを下端部でそれぞれ連結する連結具と、天蓋（Ｒ）からなる折り畳み式組立コンテナに関するものである。
【００１３】
そして、側面パネル（１）（１）のそれぞれ左・右両端部に、アルミ製の縦フレーム（２）と、該フレームと並行し、コンテナ内方向に向けて開口する適宜な幅の溝部（Ｙ）を形成した係合片（３）をフレーム（２）と一体に形成している。
【００１４】
前記側面パネル（１）（１）と接合する前後パネル（４）（４）のそれぞれ左・右端部には、それぞれアルミ製の縦フレーム（５）を設け、該縦フレーム（５）には、前記溝部（Ｙ）と係合する突起片（６）を、コンテナ外方向に向けて突出して設けており、かつ、前後パネル（４）の上端にはアルミ製の横フレーム（７）を設けている。
【００１５】
そして、前記側面パネル（１）（１）に設けたアルミ製の縦フレーム（２）と、該前後パネル（４）の上端のアルミ製の横フレーム（７）とに、一時固定手段（Ｚ）を設けたことを特徴とする折り畳み式組立コンテナから構成される。
【００１６】
上記一時固定手段（Ｚ）の具体的な一例としては、側面パネル（１）（１）のそれぞれ左・右両端部に、アルミ製の縦フレーム（２）と、該フレームと並行し、コンテナ内方に向けて適宜な幅の溝部（Ｙ）を形成した係合片（３）に、ロックピン（９）が係合する穴（Ｗ）を設け、該ロックピン（９）は、前後パネル（４）のそれぞれ左・右上端部に設けたアルミ製のフレーム（５）の上部に、前記係合する穴（Ｗ）を挿通し、溝部（Ｙ）まで突出する先端部がテーパ状のロックピン（９）を設けている。該ロックピン（９）は、コイルバネ等の弾性材（８）によって、常時、側面パネル方向に付勢されている。
【００１７】
そして、該ロックピン（９）と並行した長穴（10）をフレーム（５）に穿設し、該長穴（10）には該ロックピン（９）に固定されたスライドフック（11）を設け、ロックされたロックピン（９）を、弾性材（８）に抗して該スライドフック（11）を移動させることにより、ロックを解除するものである。
【００１８】
尚、前記の側面パネル（１）や前後パネル（４）のそれぞれ片面あるいは両面には、その表面にはアルミ蒸着フィルム（12）を貼着することにより、前記各パネル表面に光沢があって美麗であり、また、フィルム表面が汚れても払拭することにより塵埃は取り除かれ、一段と異なった清潔感を与えるものである。
【００１９】
また、コンテナの天蓋（Ｒ）は、上板（13）と、側板（14）と、該上板より、やや下方に設けた段板（15）からなりる、断面がＦ字状の樹脂製或いはアルミ製枠材（Ｓ）を設け、天蓋（Ｒ）の各角部には、２本の該枠材（Ｓ）（Ｓ）をそれぞれ両端を４５度カットして、直角になるよう突き合わせ、断面Ｌ字状のアングル（16）で両部材をリベットにて固定すると共に、上板（13）と段板（15）との隙間部（Ｔ）に、天板（Ｖ）の端部を差し込み、天蓋（Ｒ）とするものである。
【００２０】
さらに、側面パネル（１）（１）や前後パネル（４）（４）には、手繰り寄せる紐、あるいはゴムベルト等の引っ張り具（Ｕ）を設けており、これらのを引っ張ることにより、パネル（１）（４）の立ち上がりを楽に行うものである。尚、該引っ張り具（Ｕ）は図３においては、コンテナの上端から下端までの長さのものを描いたが、下方で切断されていてもよいものである。
【産業上の利用可能性】
【００２１】
この考案は、折り畳み式組立コンテナの技術を確立し、実施することにより、産業上利用可能性があるものである。
【符号の説明】
【００２２】
１  側面パネル
２  アルミ製の縦フレーム
３  係合片
４  前後パネル
５  アルミ製の縦フレーム
６  溝部に係合する突起片
７  アルミ製の横フレーム
８  弾性材
９  先端部がテーパ状のロックピン
10  長穴
11  スライドフック
12  アルミ蒸着フィルム
13  上板
14  側板
15  段板
16  Ｌ字状のアングル
Ｒ  天蓋
Ｓ  断面がＦ字状の樹脂製或いはアルミ製枠材
Ｔ  隙間部
Ｕ  引っ張り具
Ｖ  天板
Ｗ  穴
Ｘ  パレット
Ｙ  溝部
Ｚ  一時固定手段
【図１】
0003162618.tif 000003
【図２】
0003162618.tif 000004
【図３】
0003162618.tif 000005
【図４】
0003162618.tif 000006
【図５】
0003162618.tif 000007